(57)【特許請求の範囲】
【請求項１】
壁面に固定する配線器具取付枠の周縁部を覆う大きさを有する額縁状のベースプレートと、このベースプレートの左右両側縁部に形成してある係合溝内に嵌入して、当該係合溝内の段部に係止させる係止爪を具備した化粧カバーとを有してなる配線器具カバーにおいて、ベースプレートに対する化粧カバーの取付け方向を上下逆にするだけで、壁面からコンセントのプラグ受け面までの高さが７．８ｍｍ程度の高さを有する配線器具および壁面からコンセントのプラグ受け面までの高さが９．８ｍｍ程度の高さを有する配線器具の両方に対応できるようにしたことを特徴とする壁面配線器具カバー。
【請求項２】
壁面に固定する配線器具取付枠の周縁部を覆う大きさを有する額縁状のベースプレートと、このベースプレートの左右両側縁部に形成してある係合溝内に嵌入して、当該係合溝内の段部に係止させる係止爪を具備した化粧カバーとからなり、前記化粧カバーの裏面側の左右両側縁部に、所定の間隔を存して上下非対称となるように二つの突片部を形成すると共に、前記ベースプレートの表面側の左右両側縁部に、所定の間隔を存して上下非対称となるように、前記化粧カバーにおける突片部が嵌入し得る凹陥部を二箇所に形成し、壁面からコンセントのプラグ受け面までの高さが７．８ｍｍ程度の高さを有する配線器具に対応させる場合は化粧カバーの前記突片部をベースプレートの前記凹陥部内に位置させるようにすると共に、壁面からコンセントのプラグ受け面までの高さが９．８ｍｍ程度の高さを有する配線器具に対応させる場合は化粧カバーを１８０度反転させて当該化粧カバーの突片部をベースプレートのフラット部に当接させるようにしたことを特徴とする壁面配線器具カバー。
【請求項３】
前記ベースプレートの表面側上端部の左右両側に盗電防止カバーに形成してある軸部を受ける軸受部を設けると共に、下端部に盗電防止カバーに付設してある施錠装置のロックプレートを受けるプレート止めを突設したことを特徴とする請求項１または請求項２に記載の壁面配線器具カバー。
【発明の詳細な説明】
【技術分野】
【０００１】
本発明は壁用コンセントなどの壁面配線器具類に取付ける化粧カバーに係り、特に壁面からコンセント先端面までの寸法を異にする二種類の配線器具の何れにも対応可能とした壁面配線器具カバーに関する。
【背景技術】
【０００２】
コンセントなど壁面用の配線器具については様々な仕様のものが市場にて販売に供されているが、施工後の壁面からコンセントのプラグ受け面までの寸法については主に次に示す二種類の規格が存在する。
１）従来からある規格で、一般にフルカラー（登録商標）と称されている、壁面からコンセントのプラグ受け面までの高さが７．８ｍｍ程度のもの。（以下、本明細書において、このタイプの規格品をＡ配線器具と称する。）
２）ここ１０年来主流となっている規格で、一般にワイドと称されている、壁面からコンセントのプラグ受け面までの高さが９．８ｍｍ程度のもの。（以下、本明細書において、このタイプの規格品をＢ配線器具と称する。）
【０００３】
上記のように、現在市販されている二種類の規格品には２．０ｍｍ程度の寸法の違いがあるため、夫々の規格に適合する二種類のサイズのベースプレートおよび化粧カバーを用意する必要があった。
また、光アウトレットの分野においても二種類のサイズを展開するか、あるいは両規格の高低差を補うため２．０ｍｍ厚程度のスペーサーを挿着して対応するようにしている。
【０００４】
なお、壁面に取付けたコンセントなどの配線器具類の周縁部に螺子止めするベースプレートと、このベースプレートに形成された係合溝内に係着させて露出状態となっている配線器具取付枠などを隠す化粧カバーの嵌合構造などについては下記の特許文献に開示されている。
【先行技術文献】
【特許文献】
【０００５】
【特許文献１】特開平５−３００６２５号公報
【特許文献２】特開２００５−１６８２２７号公報
【発明の概要】
【発明が解決しようとする課題】
【０００６】
上記特許文献１に開示されたコンセントプレートは、造営面に固定されるプレート枠と、プレート枠の前面の周囲を覆うようにプレート枠に装着される化粧枠と、コンセントの露出部を露出させる開口部を有し化粧枠の開口部内にはめ込まれて装着される化粧カバーとで構成され、化粧枠の開口部の周縁に沿って受け縁を設けると共に化粧枠の開口部にはめ込んだ化粧カバーの周縁を受け縁に載置し、化粧カバーの周縁の適所から突設した係止脚の先端の係止爪を受け縁の裏面に係止して着脱自在に装着する構造となっており、コンセントの形状違い（１個モジュール、２個モジュール、３個モジュール）にも化粧カバーだけを交換するだけで対応できるとされている。
【０００７】
また、特許文献２に開示された化粧プレートの固定構造は、コンセントなどの配線器具取付枠に固定させる取付補助枠と、当該取付補助枠に着脱自在に係合される化粧プレートとからなり、当該取付補助枠は額縁形状に形成され、端部に変形孔を設けることによって弾力性をもち、上下にテーパーをもたせ、化粧プレートの裏側の上下に補助枠のテーパーにかみ合う正テーパーをもたせたことを特徴とするものであり、化粧プレートを壁面に固定していた捻子の必要性がなくなるとされている。
【０００８】
しかしながら、上記した何れの従来技術も、現在市販されている二種類の規格品に対応する工夫がなされていなかった。そのため盗電防止のための施錠装置を具備したトイレ用コンセントカバーや、光アウトレットなどを、既存の壁面用配線器具類に後から取付ける場合などは、二種類の規格品のどちらかが判然としない場合があり、施工現場には二種類の規格品に対応したベースプレートと、化粧カバーを夫々搬入する必要があった。
【０００９】
また、前記したスペーサーを用いる方法では、高さが低いＡ配線器具の場合は現場に持参したスペーサー自体が不要となり、結局ゴミとなる。さらに、施工後にＢ配線器具であることに気付きスペーサーが必要であることが判明した場合は、もう一度施工し直す必要があった。さらに、一般消費者が自身で化粧カバーを交換しようとする場合は、サイズが合わないなどの問題があった。
【００１０】
そこで、本発明は前記した従来の壁面配線器具カバーの各種問題点を解消し、Ａ配線器具およびＢ配線器具のいずれにも対応可能な構造にして施工現場における取付作業性を改善し、且つスペーサーなどの無駄を生じないようにした壁面配線器具カバーを提供することを目的とするものである。
【課題を解決するための手段】
【００１１】
上記課題を解決するための本発明の構成を詳述すれば、請求項１に係る発明は、壁面に固定する配線器具取付枠の周縁部を覆う大きさを有する額縁状のベースプレートと、このベースプレートの左右両側縁部に形成してある係合溝内に嵌入して、当該係合溝内の段部に係止させる係止爪を具備した化粧カバーとを有してなる配線器具カバーにおいて、ベースプレートに対する化粧カバーの取付け方向を上下逆にするだけで、壁面からコンセントのプラグ受け面までの高さが７．８ｍｍ程度の高さを有する配線器具および壁面からコンセントのプラグ受け面までの高さが９．８ｍｍ程度の高さを有する配線器具の両方に対応できるようにしたことを特徴とする壁面配線器具カバーである。
【００１２】
請求項２に係る発明は、壁面に固定する配線器具取付枠の周縁部を覆う大きさを有する額縁状のベースプレートと、このベースプレートの左右両側縁部に形成してある係合溝内に嵌入して、当該係合溝内の段部に係止させる係止爪を具備した化粧カバーとからなり、前記化粧カバーの裏面側の左右両側縁部に、所定の間隔を存して上下非対称となるように二つの突片部を形成すると共に、前記ベースプレートの表面側の左右両側縁部に、所定の間隔を存して上下非対称となるように、前記化粧カバーにおける突片部が嵌入し得る凹陥部を二箇所に形成し、壁面からコンセントのプラグ受け面までの高さが７．８ｍｍ程度の高さを有する配線器具に対応させる場合は化粧カバーの前記突片部をベースプレートの前記凹陥部内に位置させるようにすると共に、壁面からコンセントのプラグ受け面までの高さが９．８ｍｍ程度の高さを有する配線器具に対応させる場合は化粧カバーを１８０度反転させて当該化粧カバーの突片部をベースプレートのフラット部に当接させるようにしたことを特徴とする壁面配線器具カバーである。
【００１３】
請求項３に係る発明は、前記ベースプレートの表面側上端部の左右両側に盗電防止カバーに形成してある軸部を受ける軸受部を設けると共に、下端部に盗電防止カバーに付設してある施錠装置のロックプレートを受けるプレート止めを突設したことを特徴とする請求項１または請求項２に記載の壁面配線器具カバーである。
【発明の効果】
【００１４】
本発明に係る壁面配線器具カバーによれば、化粧カバーの取付けに際し、ベースプレートに対する化粧カバーの取付け方向を上下逆にするだけでＡ配線器具およびＢ配線器具のいずれにも対応可能となり、それぞれの配線器具専用の化粧カバーを用意する必要がなくなる。従って、経済的に有利であると共に、施工現場における取付作業性が大幅に改善される。
【００１５】
また、従来両配線器具の高低差を補うため２．０ｍｍ厚程度のスペーサーを用意しなければならなかったが、本発明によればＡ配線器具およびＢ配線器具のいずれにも対応可能となるため、スペーサー自体不要となる。
【図面の簡単な説明】
【００１６】
【図１】本発明に係る壁面配線器具カバー周辺の分解状態斜視図である。
【図２】ベースプレートの一実施形態を示す平面図である。
【図３】ベースプレートに嵌め付ける化粧カバーの一実施形態を示す裏面側の斜視図である。
【図４】化粧カバーの係止爪を係合させる係合溝内の段部を説明するためのベースプレートの部分断面図である。
【図５】図４のＢ部分の詳細図である。
【図６】Ａ配線器具に対応させるときの化粧カバーの突片部とベースプレートの凹陥部との当接状態を示す説明図であり、（ａ）は嵌着前、（ｂ）は嵌着後を示す。
【図７】Ｂ配線器具に対応させるときの化粧カバーの突片部とベースプレートのフラット部との接触状態を示す説明図であり、（ａ）は嵌着前、（ｂ）は嵌着後を示す。
【図８】一般居室用の標準のスイッチプレートなどとして用いる場合のベースプレートと化粧カバーを示す説明図である。
【発明を実施するための形態】
【００１７】
以下、本発明に係る壁面配線器具カバーの具体的構成を図示の実施形態について詳細に説明する。なお、以下に示す実施形態は、本発明の技術思想を具体化するための壁面配線器具カバーの一例を示すに過ぎないものであって、本発明は以下の説明及び図示したものに限定されない。特に、実施の形態に記載されている構成部品の寸法、形状、相対的配置関係等は、特定的な記載がない限り本発明の範囲をそれのみに限定する趣旨ではなく、単なる説明例に過ぎない。また、各図面が示す部材の大きさや位置関係等は説明を明確にするために誇張していることがある。
【００１８】
図１はたとえばトイレ内の既設の壁面配線器具に盗電防止用のカバーを付け替える際の壁面配線器具カバー周辺の分解状態をあらわすものであり、図中１はコンセントなどの配線器具２を壁面に固定するための配線器具取付枠である。当該配線器具取付枠１の上下二箇所に設けられている通孔３内に止め螺子を挿着して、壁の内部に配設してある図示しないボックス内のスクリューソケットに当該止め螺子の先端をねじ込んで壁面に固定する。
【００１９】
この状態では、配線器具取付枠１が露出したままの状態であり、見栄えがきわめて悪いため、配線器具取付枠１の周縁部を覆う大きさを有する額縁状のベースプレート４を配線器具取付枠１に螺子止めする。しかしながら、この状態においてもコンセント周縁部に配線器具取付枠１の一部が露出するため、ベースプレート４に化粧カバー５を嵌め付けて外観を改善するようにしている。
【００２０】
ベースプレート４に対する化粧カバー５の嵌め付けは、化粧カバー５の左右両端部に突設したいくつかの係止爪６を、ベースプレート４の左右両側に形成してある係合溝７内に嵌入して、当該係合溝７内に形成してある段部に係着させる構造となっている。
【００２１】
ところが、Ａ配線器具とＢ配線器具とでは、壁面から配線器具先端面までの寸法に２．０ｍｍ程度の違いがあるため、化粧カバー５とベースプレート４の間に間隔が生じたり、あるいは化粧カバー５の固定が不完全になるなど現場での付け替え作業に支障を来すことが多かったのである。
【００２２】
本発明は、壁面からコンセント先端面までの寸法を異にするＡ配線器具およびＢ配線器具の何れにも対応可能とした壁面配線器具カバーを提供するものであり、ベースプレート４に対する化粧カバー５の取付け方向を上下逆にするだけでＡ配線器具およびＢ配線器具の両方に対応できるようにしたものである。
【００２３】
化粧カバー５の取付け方向を１８０度反転させるだけでＡ配線器具およびＢ配線器具の両方に対応できるようにするため、本発明においては、化粧カバー５の裏面側の左右両側縁部に、図３に示すように、所定の間隔を存して上下非対称となるように二つの突片部８，８を突成すると共に、ベースプレート４の表面側の左右両側縁部に沿って、図２に示すように、所定の間隔を存して上下非対称となるように、前記化粧カバー５における突片部８，８が嵌入し得る凹陥部９，９を二箇所に形成するようにしたものである。
【００２４】
なお、図示する実施形態では、当該凹陥部９，９は前記係合溝７，７に隣接して形成されており、化粧カバー５における突片部８，８の一部は凹陥部９，９の底面に当接せず、係合溝７，７の上面空間と重複するようになっている。
なお、この実施例では、化粧カバー５に形成した突片部８，８の長手方向長さと、前記凹陥部９，９の長手方向長さは一致しておらず、突片部８，８の長手方向長さの方が凹陥部９，９の長手方向長さより若干長くなっているが、突片部８，８の長手方向長さと、凹陥部９，９の長手方向長さは、突片部８，８の凹陥部９，９内への嵌入が円滑に行われる限りにおいて、ほぼ均しい長さとしてもよいのは勿論である。
【００２５】
図６はＢ配線器具より２ｍｍ程度寸法の小さいＡ配線器具に対応させるときの化粧カバー５の突片部８，８とベースプレート４の凹陥部９，９との当接状態を示す説明図であり、（ａ）は嵌着前、（ｂ）は嵌着後をそれぞれ示す。図５（ｂ）に示してあるように、化粧カバー５の突片部８，８はベースプレート４の凹陥部９，９内に落ち込んで、当該凹陥部９，９とフラット部１０，１０の高低差（２ｍｍ程度）の分だけ化粧カバー５の嵌着位置が低くなり、Ａ配線器具に対する化粧カバー５のセットが完了する。
【００２６】
一方、Ａ配線器具より２ｍｍ程度寸法の大きいＢ配線器具に対応させるときは、図７に示してあるように、化粧カバー５を１８０度反転させて、化粧カバー５の突片部８，８の下端面をベースプレート４のフラット部１０、１０に当接させる。そうすると、化粧カバー５はフラット部１０と凹陥部９の高低差（２ｍｍ程度）の分だけ嵌着位置が高くなり、Ｂ配線器具に対する化粧カバー５のセットが完了する。
【００２７】
なお、化粧カバー５の左右両側縁部に沿って突設した係止爪６を係着するベースプレート４の係合溝７内の係合段部も２ｍｍの高低差を付けて上下二箇所に形成してある。
すなわち、寸法の小さいＡ配線器具に対応させるときは、化粧カバー５の係止爪６は、図５に示すようにベースプレート４の係合溝７内の下側の段部１１Ａに係合させる。これとは逆に寸法の大きいＢ配線器具に対応させるときは係合溝７内の上側の段部１１Ｂに係止爪６の先端を係合させる。
【００２８】
次に、トイレ内の既設の壁面配線器具に盗電防止用のカバーを付け替える際の操作を説明する。先ず、既設のコンセントに繋がっている温水洗浄便座に付属の漏電遮断プラグ１２を外してから、既設の化粧プレートおよびベースプレートを配線器具取付枠１から取り外す。次いで、配線器具取付枠１に本発明に係るベースプレート４を螺子止めする。なお、螺子止めの際は、ベースプレート４に設けてある通孔１３，１３から止め螺子の先端を挿着して配線器具取付枠１に形成してある螺子穴１４，１４内にきつく螺着する。
【００２９】
次いで、既設のコンセントなどの配線器具２がＡ配線器具の場合には、前記したように、ベースプレート４に形成してある凹陥部９，９内に、化粧カバー５の突片部８，８を落とし込むと共に、係止爪６を、ベースプレート４に形成してある係合溝７内の下側の段部１１Ａに係合させる。
一方、既設のコンセントなどの配線器具２がＢ配線器具の場合には、化粧カバー５を反転させてから係止爪６をベースプレート４に形成してある係合溝７内の上側の段部１１Ｂに係合させる。このとき、化粧カバー５の突片部８，８はベースプレート４のフラット部１０，１０に当接して安定状態を維持する。
【００３０】
その後、化粧カバー５の額縁状開口部１５内に臨んでいるプラグ受け部に前記漏電遮断プラグ１２を挿着してから、盗電防止用のカバー本体１６の内側左右上端部にそれぞれ設けてある軸部（図示せず）をベースプレート４の軸受部１７，１７によって支承させて、カバー本体１６を軸部を中心にして回動可能な状態となし、カバー本体１６を閉じてから施錠装置１８を回して、図示しないロックプレートをベースプレート４に設けてあるプレート止め１９に係止させ、カバー本体１６の不正な解放を禁止する。
【００３１】
なお、本発明は上記したように、トイレ内の既設の壁面配線器具などに盗電防止用のカバーを付け替える際の壁面配線器具カバーとしてきわめて有効であるが、本発明の技術思想は盗電防止用のカバーを取付けるための軸受部や、施錠装置のロックプレートを受けるプレート止めなどを具備していない、図８に示すような通常のベースプレートないしスイッチプレート２０を用いる一般居室用の壁面スイッチプレートなどにも応用できるのは云うまでもない。
【００３２】
以上のように、本発明によれば、従来の壁面配線器具カバーの各種問題点を解消し、Ａ配線器具およびＢ配線器具のいずれにも対応可能となり、施工現場における取付作業性が大幅に改善され、且つスペーサーなどの無駄を生じることがなく経済的もきわめて有利である。
【符号の説明】
【００３３】
１：配線器具取付枠
２：コンセントなどの配線器具
３：通孔
４：ベースプレート
５：化粧カバー
６：係止爪
７：係合溝
８：突片部
９：凹陥部
１０：フラット部
１１Ａ：下側の段部
１１Ｂ：上側の段部
１２：漏電遮断プラグ
１３：通孔
１４：螺子穴
１５：額縁状開口部
１６：盗電防止用のカバー本体
１７：軸受部
１８：施錠装置
１９：プレート止め
２０：通常のベースプレートないしスイッチプレート
【図１】
0006318030.tif 000002
【図２】
0006318030.tif 000003
【図３】
0006318030.tif 000004
【図４】
0006318030.tif 000005
【図５】
0006318030.tif 000006
【図６】
0006318030.tif 000007
【図７】
0006318030.tif 000008
【図８】
0006318030.tif 000009